【手続補正書】
【提出日】平成18年9月7日(2006.9.7)
【手続補正１】
【補正対象書類名】特許請求の範囲
【補正対象項目名】全文
【補正方法】変更
【補正の内容】
【特許請求の範囲】
【請求項１】
入口及び出口を有するハウジングと、
前記ハウジング入口と出口の間に流体を流通させるように連結されている複数の流れ管路であって、実質的に同一の内径を有し且つ各流れ管路が予め規定した異なった流量に相当する長さを有している流れ管路であって、前記各流れ管路は弾性で圧縮性の閉塞管を含んでいる、流れ管路と、
前記ハウジングに取り付けられていて、前記流れ管路を流動する流体流れを選択的に阻止して前記入口から前記出口への流体流れを、阻止されない流れ管路の総合流量に相当する流量に調整するための流量選択機構とを備え、前記流量選択機構は、
前記各流れ管路に関連づけられた流れ阻止要素であって、各々が関連している前記流れ管路の流体流れを阻止するように選択的に作動される流れ阻止要素と、
該流れ阻止要素の各々に関連づけられていて複数の予め規定された複数の位置間を移動可能である作動機構であって、一つを除く全ての複数位置においては前記流れ阻止要素の一つ以上に係合して各係合した流れ阻止要素に関連した流れ管路を流れる流体を阻止し、前記一つの位置においては前記いずれの流れ阻止要素にも係合しないように構成された作動機構であって、複数のカム要素を含み、前記カム要素は前記弾性要素の一つをそれが関連している閉塞管に対する流れ阻止圧縮状態へと移動させるように配置されている作動機構と、
を備えている流量を選択的に調整するための装置。
【請求項２】
前記各弾性要素は弾性カム従動フィンガを含み、前記従動フィンガはそれにカム要素が係合したときに前記閉塞管の一つに圧縮係合するように配置されている請求項１の装置。
【請求項３】
更に、前記ハウジングに回転自在に取り付けられたカムロータを有し、前記カム要素は、前記カムロータ上の複数位置に配置されていて前記カムロータが回転するにつれて関連したカム従動フィンガに係合するように構成されている請求項２の装置。
【請求項４】
前記カムロータは各自が予め規定されている流体流量に関連づけられた複数の回転位置に回転できる請求項３の装置。
【請求項５】
少なくとも第１、第２及び第３カム従動フィンガを含み、前記カムロータは前記第１カム従動フィンガにのみ係合できる第１カム要素と、第２カム従動フィンガにのみ係合できるように直径方向に対向した一対の第２カム要素と、前記第３カム従動フィンガのみに係合できる複数の第３カム要素とを含む請求項２の装置。
【請求項６】
前記第１カム要素は前記ロータの中心から第１の半径方向距離のところに位置していて約１８０度の角度を張る弧状カム要素であり、前記一対の第２カム要素は前記ロータの中心から第２の半径方向距離のところに位置していて約９０度の角度を張る弧状カム要素であり、前記複数の第３カム要素は前記ロータの中心から第３の半径方向距離のところに位置していて約４５度の角度を張る弧状カム要素であり、前記第１の半径方向距離は前記第３の半径方向距離よりも小さく、前記第２の半径方向距離は前記第１及び第２の半径方向距離の中間である請求項５の装置。
【請求項７】
前記複数の第３カム要素は４つの等間隔に離間した第２弧状カム要素である請求項６の装置。
【請求項８】
一定容積の液体を収容するとともに出口を有し、制御された圧力を加えるポンプにより加圧される加圧液体溜と、前記溜に接続された入口とＩＶ管路に接続された出口を有する流れ調整装置とを備え、前記流れ調整装置は、前記入口と前記出口の間を接続する流れ管路であって、実質的に同一内径と予め規定された異なった流量に対応する長さを有す複数の流れ管路と、前記流れ導管を流れる流体の流れを選択的に阻止する流量選択機構とを有し、それにより前記阻止をされなかった流れ導管の総合流量に対応した流量を前記入口から出口への流れに与えるようにした、治療用液体を患者に選択可能な流量を投与するための注入装置。
【請求項９】
更に前記液体溜の出口と前記流量調整装置の入口の間に接続された充填弁を有する請求項８の装置。
【請求項１０】
前記各流れ管路は実質的に同一内径と予め規定された異なった流量を決定する特定の長さを有し、前記流量選択機構は、前記流れ導管を（ａ）０本又は（ｂ）１本以上選択的に阻止する請求項８の測定装置。
【請求項１１】
前記流量選択機構は、各流れ管路に関連付けた流れ阻止要素と、前記流れ阻止要素を選択的に作動する作動機構とを有し、該作動機構は各作動された流れ阻止要素に関連づけてある流れ管路の流れを阻止するように選択的に起動されるように構成されている請求項１０の装置。
【請求項１２】
前記各流れ管路は弾性圧縮できる閉塞管を備え、前記各流れ阻止要素は前記作動機構により関連した前記閉塞管に対して流れを阻止する圧縮状態に移動できる弾性要素を含んでいる請求項１１の装置。
【請求項１３】
前記作動機構は複数のカム要素を有し、該各カム要素は前記弾性要素の一つをそれに関連している閉塞管に対して流れを阻止する圧縮状態に移動させる様に構成されている請求項１２の装置。
【請求項１４】
該カム要素の各々は一つのカム従動フィンガを有し、前記カム従動フィンガは、前記カム要素による係合を受けたときにその関連した前記閉塞管の一つに対して圧縮係合状態へと押圧されるように構成されている請求項１３の装置。
【請求項１５】
前記流れ調整装置はさらに前記流れ管路及び前記カム従動フィンガを含むハウジングを有し、前記ハウジングは装置入口を有する一端と装置出口を有する一端とを有し、前記作動機構は更に前記ハウジングに回転自在に取り付けられたカムロータと、前記カムロータが回転するにつれて関連したカム従動フィンガに係合することができるように前記カムロータ上の位置に配置された前記各カム要素とを備えている請求項１４の装置。
【請求項１６】
前記カムロータは各々が一つの所定の流量に関連づけてある複数の回転位置の間を回転可能である請求項１５の装置。
【請求項１７】
前記装置は少なくとも第１、第２及び第３カム従動フィンガを備え、前記カムロータは、前記カムロータは前記第１カム従動フィンガにのみ係合できる第１カム要素と、第２カム従動フィンガにのみ係合できる直径方向に対向した一対の第２カム要素と、前記第３カム従動フィンガのみに係合できる複数の第３カム要素とを含む請求項１６の装置。
【請求項１８】
前記第１カム要素は前記ロータの中心から第１の半径方向距離のところに位置していて約１８０度の角度を張る弧状カム要素であり、前記一対の第２カム要素は前記ロータの中心から第２の半径方向距離のところに位置していて約９０度の角度を張る弧状カム要素であり、前記複数の第３カム要素は前記ロータの中心から第３の半径方向距離のところに位置していて約４５度の角度を張る弧状カム要素であり、前記第１の半径方向距離は前記第３の半径方向距離よりも小さく、前記第２の半径方向距離は前記第１の半径方向距離と前記第２の半径方向距離の中間にある請求項１７の装置。
【請求項１９】
前記複数の第３カム要素は４つの等距離間隔で離間した第３カム要素を有する請求項１８の装置。
【請求項２０】
入口と出口を有するハウジングと、前記ハウジング内に配置した前記入口及び出口に接続する少なくとも第１、第２及び第３流れ管路とを有し、前記各流れ管路は流れ制御管と弾性圧縮可能な閉塞管とを有し、前記流れ制御管は実質的に同一の内径と第１の予め規定された流量に関連した第１の長さを有し、前記第２流れ管路は第２の予め規定された流量に関連した第２の長さを有し、前記第３流れ管路は第３の予め規定された流量に関連した第３の長さを有し、更に前記各閉塞管に関連していて関連した閉塞管に対して流れを阻止するように圧縮する位置に移動できる弾性流れ阻止要素と、（ａ）前記流れ阻止要素の１つ以上に係合して関連した閉塞管の流れを阻害する圧縮状態へと選択的に移動させるとともに、（ｂ）前記流れ阻止要素の任意のものから選択的に離れる作動機構とを有し、前記作動機構は複数のカム要素を含み、前記カム要素は前記弾性要素の一つをそれが関連している閉塞管に対する流れ阻止圧縮状態へと移動させるように配置されている、加圧流体源からの液体の流れを調整するための装置。
【請求項２１】
前記作動機構は、前記各流れ阻止要素と係合可能で且つ複数の予め規定された複数の位置に移動可能であり、一つの位置以外の前記複数の位置において前記流れ阻止要素の一つ以上に係合して係合された前記各流れ阻止要素に関連した前記閉塞管の流れを阻止し、前記一つの位置においていずれの前記流れ阻止要素にも係合しないように構成されている請求項２０の装置。
【請求項２２】
前記各弾性要素はカム従動フィンガを有し、該カム従動フィンガは、前記カムによる係合を受けたときに前記閉塞管の一つに圧縮係合をするように配置されている請求項２０の装置。
【請求項２３】
前記ハウジングにはカムロータが回転自在に取り付けられ、前記カムロータ上の、前記カムロータの回転につれて関連したカム従動フィンガに係合できる位置にはカム要素が配置されている請求項２２の装置。
【請求項２４】
前記カムロータは予め規定された流量に対応した複数の回転位置間で回転可能である請求項２３の装置。
【請求項２５】
前記装置は少なくとも第１、第２及び第３カム従動フィンガを備え、前記カムロータは、前記カムロータは前記第１カム従動フィンガにのみ係合できる第１カム要素と、第２カム従動フィンガにのみ係合できる直径方向に対向した一対の第２カム要素と、前記第３カム従動フィンガのみに係合できる複数の第３カム要素とを含む請求項２２の装置。
【請求項２６】
前記第１カム要素は前記ロータの中心から第１の半径方向距離のところに位置していて約１８０度の角度を張る弧状カム要素であり、前記一対の第２カム要素は前記ロータの中心から第２の半径方向距離のところに位置していて約９０度の角度を張る弧状カム要素であり、前記複数の第３カム要素は前記ロータの中心から第３の半径方向距離のところに位置していて約４５度の角度を張る弧状カム要素であり、前記第１の半径方向距離は前記第３の半径方向距離よりも小さく、前記第２の半径方向距離は前記第１の半径方向距離と前記第２の半径方向距離の中間にある請求項２５の装置。
【請求項２７】
前記複数の第３カム要素は４つの等距離間隔で離間した第３の弧状カム要素である請求項２６の装置。